(57)【要約】【課題】ビール瓶等の細口容器に残った飲料を廃棄した後の細口容器の整列が容易で、細口容器を複数本まとめて収容するビールケース等の大型容器への細口容器の収容時間を短縮することが可能な細口容器保持具を提供する。【解決手段】細口容器保持具１は、細口容器を上下逆様の状態で保持する細口容器保持具であって、細口容器が上下逆様の状態で挿入され、テーパ部に対応する大きさを有する複数の挿入開口部２ａが設けられた天板２と、天板２を当該細口容器保持具１を置く設置面から所定の高さに支持する支持部材としての天板受け３及び脚部４と、天板受け３に着脱可能に取り付けられ、挿入開口部２ａに挿入された細口容器から落下する飲料を収容する収容袋５とを備える。【選択図】図１
2017137093.tif 000002
【特許請求の範囲】
【請求項１】
有底筒状の胴部と、頂部に設けられ、胴部よりも直径が小さい細口と、前記胴部と前記細口との間を接続するテーパ部とを有する細口容器を、上下逆様の状態で保持する細口容器保持具であって、
前記細口容器が上下逆様の状態で挿入され、前記テーパ部に対応する大きさを有する複数の挿入開口部が設けられた天板と、
前記天板を当該細口容器保持具を置く設置面から所定の高さに支持する支持部材と、
前記天板又は前記支持部材に着脱可能に取り付けられ、前記挿入開口部に挿入された前記細口容器から落下する飲料を収容する収容容器と、
を備えた細口容器保持具。
【請求項２】
前記支持部材は、前記天板が着脱可能に装着される天板受けと、前記天板受けの下側に折り畳み可能に設けられ、前記天板を前記所定の高さに支持する脚部とを備えた、
請求項１に記載の細口容器保持具。
【請求項３】
前記収容容器は、前記天板受け及び前記脚部を収容するように開口側の縁部が前記天板又は前記天板受けに着脱可能に取り付けられる樹脂フィルムからなる収容袋である、
請求項２に記載の細口容器保持具。
【発明の詳細な説明】
【技術分野】
【０００１】
本発明は、頂部に細口を有する細口容器を上下逆様の状態で保持する細口容器保持具に関する。
【背景技術】
【０００２】
ホテルや旅館では、宴会や夕食後に飲み残しのビールを廃棄する場合、１本又は２本ずつビール瓶を手で持って厨房等の流しに廃棄している。そして廃棄して空になったビール瓶を厨房等の床の空きスペースに立てて置くこともある。
【０００３】
従来、軽量化できるとともに、段積みした場合に下側の飲料用容器の口部付近に滴下しにくくした運搬用容器（例えば、特許文献１）、床面や棚板面に複数列に並べられた多数の細口瓶の頸部に被装して連結することによって、すべての瓶の転倒が防止できる簡便な細口瓶の転倒防止用具（例えば、特許文献２）、検査作業の効率を向上させると共に、コスト面及び環境面への負担を軽減することができるトレー（例えば、特許文献３）、複数本のビール瓶等を安全に楽に持ち運ぶことができ、効率のよい運搬が可能なビール瓶等の運搬具（例えば、特許文献４）が提案されているが、ビール瓶に残ったビールを廃棄するためのビール瓶保持具は存在していない。
【先行技術文献】
【特許文献】
【０００４】
【特許文献１】特開２０１５−１３１６６７号公報
【特許文献２】特開２０１５−９８４２号公報
【特許文献３】特開２００８−２７５３８９号公報
【特許文献４】特開平９−２４９２５３号公報
【発明の概要】
【発明が解決しようとする課題】
【０００５】
空になったビール瓶を厨房等の床に置いておくと、作業中にビール瓶に足が当たり、ビール瓶を倒して破損させる恐れがある。また、空になったビール瓶が整列されていないため、ビールケースに収容するのに時間が掛かる。
【０００６】
そこで、本発明の目的は、ビール瓶等の細口容器に残った飲料を廃棄した後の細口容器の整列が容易で、細口容器を複数本まとめて収容するビールケース等の大型容器への細口容器の収容時間を短縮することが可能な細口容器保持具を提供することにある。
【課題を解決するための手段】
【０００７】
［１］有底筒状の胴部と、頂部に設けられ、胴部よりも直径が小さい細口と、前記胴部と前記細口との間を接続するテーパ部とを有する細口容器を、上下逆様の状態で保持する細口容器保持具であって、前記細口容器が上下逆様の状態で挿入され、前記テーパ部に対応する大きさを有する複数の挿入開口部が設けられた天板と、前記天板を当該細口容器保持具を置く設置面から所定の高さに支持する支持部材と、前記天板又は前記支持部材に着脱可能に取り付けられ、前記挿入開口部に挿入された前記細口容器から落下する飲料を収容する収容容器と、を備えた細口容器保持具。
［２］前記支持部材は、前記天板が着脱可能に装着される天板受けと、前記天板受けの下側に折り畳み可能に設けられ、前記天板を前記所定の高さに支持する脚部とを備えた、前記［１］に記載の細口容器保持具。
［３］前記収容容器は、前記天板受け及び前記脚部を収容するように開口側の縁部が前記天板又は前記天板受けに着脱可能に取り付けられる樹脂フィルムからなる収容袋である、前記［２］に記載の細口容器保持具。
【発明の効果】
【０００８】
本発明によれば、ビール瓶等の細口容器に残った飲料を廃棄した後の細口容器の整列が容易で、細口容器を複数本まとめて収容するビールケース等の大型容器への細口容器の収容時間を短縮することが可能になる。
【図面の簡単な説明】
【０００９】
【図１】図１は、本発明の実施の形態に係る細口容器保持具の斜視図である。
【図２】図２は、図１のＡーＡ線断面図である。
【図３】図３は、脚部の折り畳み構造を示し、（ａ）は、細口容器保持具の長手方向から見た側面図、（ｂ）はヒンジ部の斜視図、（ｃ）は、図１のＢ−Ｂ線断面図、（ｄ）は、図１のＣ方向から見た要部正面図である。
【図４】図４は、ビール瓶の正面図である。
【図５】図５は、ビール瓶に残ったビールを収容袋に廃棄する様子を示す図１のＤ−Ｄ線に対応する断面図である。
【図６】図６は、ビール瓶に残ったビールを収容袋を用いずに直接廃棄する様子を示す図１のＤ−Ｄ線に対応する断面図である。
【図７】図７（ａ）〜（ｃ）は、挿入開口部の変形例を示す天板の要部断面図である。
【発明を実施するための形態】
【００１０】
以下、本発明の実施の形態について図面を参照して説明する。なお、各図中、実質的に同一の機能を有する構成要素については、同一の符号を付してその重複した説明を省略する。
【００１１】
図１は、本発明の実施の形態に係る細口容器保持具の斜視図である。なお、図１では、収容袋５の図示を省略する。
【００１２】
この細口容器保持具１は、図１に示すように、複数の挿入開口部２ａが設けられ、挿入開口部２ａに挿入された細口容器を上下逆様の状態で保持する天板２と、天板２が着脱可能に装着される天板受け３と、天板受け３の下側に折り畳み可能に設けられ、天板２を所定の高さに支持する一対の脚部４と、天板受け３に着脱可能に取り付けられ、細口容器に残った液体を収容する収容袋５とを備える。天板受け３及び一対の脚部４は、支持部材の一例である。収容袋５は、収納容器の一例である。
【００１３】
細内容器とは、有底筒状の胴部と、頂部に設けられ、胴部よりも直径が小さい細口と、胴部と細口との間を接続するテーパ部とを有する容器をいう。細口容器は、例えば、ビール、ワイン、日本酒等の酒類、清涼飲料、醤油、オイル等の液体を収容する容器であり、材質はガラス製、プラスチック製、金属製等が用いられる。胴部の形状は、円筒状、角筒状等でもよい。
【００１４】
（天板の構成）
天板２には、上述したように、後述するビール瓶５０の傾斜部５２を保持する複数の挿入開口部２ａが形成されている。挿入開口部２ａの数は、ビールケースが通常２０本入りであるので、それに対応して２０個とするのが好ましい。なお、挿入開口部２ａの数は、２０個に限られず、それよりも少なくても多くてもよい。ただし、挿入開口部２ａの数に応じて天板２のサイズを変えるのが好ましい。
【００１５】
挿入開口部１ａは、本実施の形態では円形であるが、矩形や三角形、五角形等の他の形状でもよい。挿入開口部２ａの直径は、ビール瓶５０の傾斜部５２の中間付近の直径に対応させるのがビール瓶５０を上下逆様の状態で安定して保持する上で好ましい。
【００１６】
天板２は、プラスチック製、木製又は金属製でもよいが、軽量化、防水性の観点よりプラスチック製が好ましい。天板２は、例えば１〜５ｍｍの厚さを有する。
【００１７】
（天板受けの構成）
図２は、図１のＡーＡ線断面図である。天板受け３は、水平部３１と、水平部３１の外側の端部から垂直に設けられた垂直部３２とからなる断面Ｌ字状の枠部材３０と、垂直部３２の内側の複数の箇所に内側に突出するように設けられた係止部３２とを備える。係止部３２は、断面半円形を有する。この係止部３２の形状により、天板２を天板受け３に装着するときは、天板２を上方から差し込むことで、係止部３２が弾性変形して天板２を係止することができる。また、天板２を天板受け３から外すときは、天板２を上方へ力を加えることで、係止部３２が弾性変形して天板２を係止部３２から離脱させることができる。
【００１８】
天板受け３は、プラスチック製、木製又は金属製でもよいが、軽量化、防水性の観点よりプラスチック製が好ましい。天板受け３は、プラスチック製の場合、例えば射出成形により一体に形成されてもよい。
【００１９】
（脚部の構成）
図３は、脚部４の折り畳み構造を示し、（ａ）は、細口容器保持具の長手方向から見た側面図、（ｂ）はヒンジ部の斜視図、（ｃ）は、図１のＢ−Ｂ線断面図、（ｄ）は、図１のＣ方向から見た要部正面図である。
【００２０】
脚部４は、例えば、直径５〜１０ｍｍの丸棒材を折曲して形成され、垂直な部分の一対の垂直脚部４０と、一対の垂直脚部４０の下端を連結する連結部４１と、垂直脚部４０の上端で水平方向内側に折り曲げられた回転軸部４２とを備える。脚部４の回転軸部４２は、回転可能にヒンジ部６に支持されている。
【００２１】
ヒンジ部６は、直方体状の本体部６０と、本体部６０の外側の面６０ａに形成されたストッパ６１と、本体部６０の外側の面６０ａに形成された回転止め部６２とを備える。ヒンジ部６の本体部６０の上面６０ｂが天板受け３の枠部材３０の水平部３１に接続されている。回転止め部６２は、半球状を有している。本体部６０には脚部４の回転軸部４２が挿入され、脚部４を回転可能に支持する支持穴６０ｃが形成されている。
【００２２】
この回転止め部６２の形状により、脚部４を畳むときは、脚部４を折り畳む方向に回転させることで、脚部４の垂直脚部４０が弾性変形して回転止め部６２を乗り上げてほぼ水平方向まで回転させることができる。また、脚部４を出すときは、脚部４を天板受け３に対して垂直になる方向に回転させることで、垂直脚部４０が弾性変形して回転止め部６２を乗り上げて垂直な状態にすることができる。
【００２３】
（収容袋の構成）
収容袋５は、上方が開口された袋状を有し、天板受け３に着脱可能に取り付けられ、挿入開口部２ａに挿入されたビール瓶５０から落下する飲料を収容するものである。なお、収容袋５は、天板２に着脱可能に取り付けられてもよい。収容袋５は、天板受け３及び脚部４を収容するように開口側の縁部５ａが天板受け３に着脱可能に取り付けられる。収容袋５は、樹脂フィルムから形成される。収容袋５が収容可能なビール５５の量は、例えば１リットルでも、２リットルでもよく、１リットル以下でもよい。
【００２４】
（ビール瓶の構成）
図４は、細口容器の一例としてのビール瓶の正面図である。ビール瓶５０は、図４に示すように、有底円筒状の胴部５１と、胴部５１から上方に向かうに従って直径が急激に細くなっているテーパ部としての傾斜部５２と、傾斜部５２から上方に向かうに従って直径が緩やかに細くなっているテーパ部としての首部５３と、首部５３の上部に設けられた細口としての飲み口部５４とを有して構成されている。図４に示すビール瓶５０は、例えば、大瓶であり、容量６３３ｍｌ、胴部５１の直径７７ｍｍ、高さ２９０ｍｍ（蓋を含む。）の大きさを有する。なお、対象とするビール瓶は、中瓶や小瓶でもよい。
【００２５】
（実施の形態の作用）
次に、本実施の形態に係る細口容器保持具１の作用を図５及び図６を参照して説明する。図５は、ビール瓶５０に残ったビール５５を収容袋５に廃棄する様子を示す図１のＤ−Ｄ線に対応する断面図である。図６は、ビール瓶５０に残ったビール５５を収容袋５を用いずに直接廃棄する様子を示す図１のＤ−Ｄ線に対応する断面図である。
【００２６】
ビール瓶５０に残ったビール５５を収容袋５に廃棄する場合は、図５に示すように、ビール瓶５０を上下逆様にした状態で天板２の挿入開口部２ａに差し込む。ビール瓶５０にビール５５が残っている場合は、そのビール５５は、収容袋５に落ちる。２０本のビール瓶５０を挿入開口部２ａに差し込んだ後は、天板２を天板受け３から外すことで、収容袋５を天板受け３から外してその収容袋５を廃棄場所に持っていき、収容袋５内のビール５５を廃棄する。
【００２７】
ビール瓶５０に残ったビール５５を収容袋５を用いずに廃棄場所ＦＬに直接廃棄する場合は、図６に示すように、収容袋５を天板受け３から外して状態で、天板２を天板受け３に装着し、脚部４を出した状態で廃棄場所に置く。２０本のビール瓶５０を上下逆様にした状態で天板２の挿入開口部２ａに差し込む。ビール瓶５０にビール５５が残っている場合は、そのビール５５は、そのまま廃棄場所に落ちる。
【００２８】
細口容器保持具１の天板２の挿入開口部２ａに差し込まれて空になったビール瓶５０を、ビールケースを収容する場合は、ビールケースを細口容器保持具１の側に持って来るか、細口容器保持具１をビールケースが置いてある所まで持って行くか、又は細口容器保持具１よりも軽量の運搬具にビール瓶５０を移し替えてそれをビールケースが置いてある所まで持って行き、ビール瓶５０をビールケースに移し替える。
【００２９】
（実施の形態の効果）
本実施の形態によれば、以下の効果を奏する。
（１）ビール瓶５０を上下逆様にした状態で挿入開口部２ａに差し込むことにより、ビール瓶５０に残ったビール５５を廃棄することができるとともに、ビール瓶５０を整列した状態で保持することができる。
（２）ビール瓶５０を整列した状態で保持できることから、ビール瓶５０をビールケースに収容する際にビール瓶５０が床にばらばらに置いてある場合と比較してビールケースへの収容時間を短縮することが可能になる。
【００３０】
［変形例］
図７（ａ）〜（ｃ）は、本実施の形態に係る挿入開口部２ａの変形例を示す天板２の要部断面図である。
【００３１】
天板２の挿入開口部２ａに、図７（ａ）に示すように、ゴムからなるリング部材１５を装着してもよい。図７（ａ）に示すリング部材１５は、挿入開口部２ａに嵌合される凹部１５ｂがリング状に形成された断面略円形を有する。図７（ａ）の場合、リング部材１５の中央の開口が挿入開口部１５ａとなる。リング部材１５とビール瓶５０との摩擦係数を大きくすることができるので、上下逆様の状態でビール瓶５０を挿入開口部１５ａに差し込んだときにビール瓶５０が傾きにくくなる。
【００３２】
また、天板２の挿入開口部２ａに、図７（ｂ）に示すように、ゴムからなるリング部材１６を装着してもよい。図７（ｂ）に示すリング部材１６は、挿入開口部２ａに嵌合される凹部１６ｂがリング状に形成され、内側の面に傾斜面１６ｃを有してビール瓶５０との接触面積を大きくしたものである。図７（ｂ）の場合、リング部材１６の中央の開口が挿入開口部１６ａとなる。リング部材１６とビール瓶５０との摩擦係数を大きくすることができるので、上下逆様の状態でビール瓶５０を挿入開口部１６ａに差し込んだときにビール瓶５０が傾きにくくなる。
【００３３】
また、天板２の挿入開口部２ａは、図７（ｃ）に示すように、ビール瓶５０との接触面積を大きくするために突出片２ｂを設けてもよい。突出片２ｂの内側の面がビール瓶５０の傾斜部５２に接触する傾斜面２ｃとなる。傾斜面２ｃとビール瓶５０との接触面積を大きくすることができるので、上下逆様の状態でビール瓶５０を挿入開口部２ａに差し込んだときにビール瓶５０が傾きにくくなる。
【００３４】
［他の実施の形態］
なお、本発明の実施の形態は、上記実施の形態に限定されるものではなく、本発明の要旨を変更しない範囲内で種々に変形、実施が可能である。例えば、上記実施の形態では、細口容器としてビール瓶について説明したが、本発明はペットボトル等の他の細口容器に適用可能である。
【符号の説明】
【００３５】
１  細口容器保持具、１ａ  挿入開口部、２  天板、２ａ  挿入開口部、２ｂ  突出片、
２ｃ  傾斜面、４  脚部、５  収容袋、５ａ  縁部、６  ヒンジ部、
１５  リング部材、１５ａ  挿入開口部、１５ｂ  凹部、１６  リング部材、
１６ａ  挿入開口部、１６ｂ  凹部、１６ｃ  傾斜面、３０  枠部材、３１  水平部、
３２  垂直部、３２  係止部、４０  垂直脚部、４１  連結部、４２  回転軸部、
５０  ビール瓶、５１  胴部、５２  傾斜部、５３  首部、５４  飲み口部、
５５  ビール、６０  本体部、６０ａ  外側の面、６０ｂ  上面、６０ｃ  支持穴、
６１  ストッパ、６２  回転止め部
【図１】
2017137093.tif 000003
【図２】
2017137093.tif 000004
【図３】
2017137093.tif 000005
【図４】
2017137093.tif 000006
【図５】
2017137093.tif 000007
【図６】
2017137093.tif 000008
【図７】
2017137093.tif 000009